(57)【要約】      （修正有）【課題】原稿の置き忘れを防止する、画像形成装置及び原稿取り忘れ防止方法を提供する。【解決手段】画像形成装置は、読取部によって読み取った原稿の画像を用紙に画像形成する画像形成部と、前記読取部で読み取った前記原稿を載置する原稿載置部と、前記原稿載置部で、前記原稿の有無を検知する検知部と、前記画像形成部にて画像形成された前記用紙を収容する収容部と、前記収容部を開放状態あるいは閉鎖状態とする開閉部と、前記読取部による原稿の画像読取後、前記原稿載置部に載置された前記原稿が前記検知部により検知されない時、前記開閉部を駆動制御して収容部を開放状態とする制御部と、を備える。【選択図】図１
2012227915.tif 000002
【特許請求の範囲】
【請求項１】
読取部によって読み取った原稿の画像を用紙に画像形成する画像形成部と、
前記読取部で読み取った前記原稿を載置する原稿載置部と、
前記原稿載置部で、前記原稿の有無を検知する検知部と、
前記画像形成部にて画像形成された前記用紙を収容する収容部と、
前記収容部を開放状態あるいは閉鎖状態とする開閉部と、
前記読取部による原稿の画像読取後、前記原稿載置部に載置された前記原稿が前記検知部により検知されない時、前記開閉部を駆動制御して収容部を開放状態とする制御部と、
を備えることを特徴とする画像形成装置。
【請求項２】
前記制御部は、前記読取部による原稿の画像読取後、前記検知部が前記原稿載置部に載置された原稿を検知している間は、前記開閉部による前記収容部の閉鎖状態を維持することを特徴とする請求項１記載の画像形成装置。
【請求項３】
各種情報を表示する表示部を備え、前記制御部は、原稿の画像読取後、前記原稿載置部に前記原稿が載置され、前記開閉部が閉められている時、前記原稿を前記原稿載置部より取り除く旨を前記表示部に表示することを特徴とする請求項１記載の画像形成装置。
【請求項４】
前記制御部は、原稿の画像読取後、前記原稿載置部に前記原稿が載置されている状態で、異なるジョブの複写ができないよう画像形成部を制御することを特徴とする請求項１記載の画像形成装置。
【請求項５】
前記制御部は、前記原稿が機密文書であるか否かを判断し、前記原稿が機密文書でないと判断したら、前記開閉部を開けることを特徴とする請求項１記載の画像形成装置。
【請求項６】
前記制御部は、認証部を備え、前記認証部にて認証を確認したら、前記開閉部を開けることを特徴とする請求項１記載の画像形成装置。
【請求項７】
請求項１記載の画像形成装置による原稿取り忘れ防止方法であって、
読取部によって読み取った原稿の画像を用紙に画像形成し、
前記読取部で読み取った前記原稿を原稿載置部にて検知し、
前記画像形成された用紙を収容する収容部を開閉部により閉鎖状態にし、
前記読取部による原稿の画像読取後、前記原稿載置部に載置された前記原稿が検知されない時、前記開閉部による収容部の閉鎖状態を開放状態にする、
ことを特徴とする原稿取り忘れ防止方法。
【請求項８】
前記読取部による原稿の画像読取後、前記原稿載置部の前記原稿を検知している間は、前記開閉部による前記収容部の閉鎖状態を維持することを特徴とする請求項７記載の原稿取り忘れ防止方法。
【発明の詳細な説明】
【技術分野】
【０００１】
本発明の実施形態は、画像形成装置及び原稿取り忘れ防止方法に関する。
【背景技術】
【０００２】
近年、情報セキュリティの話題が大きく取り上げられ、画像形成装置においても、スキャン後のデータを自動で消去したり、スキャンしたデータを暗号化したりする技術が知られている。しかしながら、印刷やスキャン後の原稿を取り忘れてしまい、その原稿から情報が漏れてしまうという問題が生じる。
【先行技術文献】
【特許文献】
【０００３】
【特許文献１】特開２００９−８７５３公報
【発明の概要】
【発明が解決しようとする課題】
【０００４】
本発明の実施形態が解決しようとする課題は、原稿の置き忘れを防止する、画像形成装置及び原稿取り忘れ防止方法を提供することである。
【課題を解決するための手段】
【０００５】
上記課題を解決するために、本発明の実施形態における画像形成装置は、読取部によって読み取った原稿の画像を用紙に画像形成する画像形成部と、前記読取部で読み取った前記原稿を載置する原稿載置部と、前記原稿載置部で、前記原稿の有無を検知する検知部と、前記画像形成部にて画像形成された前記用紙を収容する収容部と、前記収容部を開放状態あるいは閉鎖状態とする開閉部と、前記読取部による原稿の画像読取後、前記原稿載置部に載置された前記原稿が前記検知部により検知されない時、前記開閉部を駆動制御して収容部を開放状態とする制御部と、を備える。
【図面の簡単な説明】
【０００６】
【図１】第一の実施形態における、画像形成装置の構成図である。
【図２】第一の実施形態における、画像形成装置のブロック図である。
【図３】第一の実施形態における、画像形成のフローチャートである。
【図４】第一の実施形態における、図３の続きを示す画像形成のフローチャートである。
【図５】第一の実施形態における、開閉部を閉じた状態を示す図である。
【図６】第一の実施形態における、原稿を原稿載置部から取り除く旨の表示例を示す図である。
【図７】第一の実施形態における、開閉部を開いた状態を示す図である。
【図８】第二の実施形態における、画像形成のフローチャートである。
【図９】第二の実施形態における、図８の続きを示す画像形成のフローチャートである。
【図１０】第三の実施形態における、画像形成のフローチャートである。
【発明を実施するための形態】
【０００７】
以下に添付図面を参照して、実施形態の画像形成装置を説明する。
【０００８】
（第一の実施形態）
第一の実施形態の画像形成装置は、収容部に開閉部を備え、原稿のスキャン後、原稿載置部に原稿があることを判断している間、収容部に排出された印刷物を取り除くことができないように開閉部を閉じる。また、スキャン後、原稿載置部に原稿があることを認識した状態で、再びユーザが複写をしようとしても複写できないように制御する。
【０００９】
図１は、第一の実施形態の画像形成装置を示す構成図である。図１において、画像形成装置は、例えば複合機であるＭＦＰ（Multi-Function Peripherals）や、プリンタ、複写機等である。以下の説明ではＭＦＰを例に説明する。
【００１０】
ＭＦＰ１０は、自動原稿搬送部（ＡＤＦ）１２、操作パネル１３、読取部１６、プリンタ部１７、給紙カセット（給紙部）１８、収容部４０、及び制御部２００（図２に示す）を有する。
【００１１】
ＡＤＦ１２は、原稿台４１上に開閉自在に設けられ、原稿を自動で搬送する。操作パネル１３は、各種のキーを有する操作部１４と、タッチパネル式で操作や表示を行うパネル部１５を有する。パネル部１５は、操作部をかねても良い。また、ＭＦＰ１０は、原稿台４１、またはＡＤＦ１２の原稿給紙部４２、またはＡＤＦ１２の原稿収容部４３に原稿があることをユーザに報知する第１の報知部６０、及びＭＦＰ１０の収容部４０に印刷物（画像形成された用紙）を収容することをユーザに報知する第２の報知部６１を有する。本実施の携帯においては、原稿台４１及びＡＤＦ１２の原稿収容部４３を原稿載置部と定義する。パネル部１５、第１の報知部６０、及び第２の報知部６１を表示部と定義する。
【００１２】
第１の報知部６０、及び第２の報知部６１によるユーザへの報知は、パネル部１５で行うようにしても良い。第１の報知部６０、及び第２の報知部６１は例えばＬＥＤである。
【００１３】
後述する制御部２００は、ＡＤＦ１２の原稿給紙部４２が有するセンサ４４、あるいはスキャン前に原稿台４１のセンサ４６により原稿を検知したら、第１の報知部６０を例えば緑色に点灯させる。まず、ＡＤＦ１２を使用して原稿を読み取る場合、制御部２００は、ＡＤＦ１２の原稿収容部４３のセンサ４５が原稿を検知し、原稿給紙部４２のセンサ４４が原稿を検知しなければ、例えば第１の報知部６０の緑色の点灯を赤色に点灯させる。原稿が原稿収容部４３に排出されると、制御部２００は、第１の報知部６０の点灯色を変化させ、ユーザに原稿収容部４３から原稿を取るよう報知する。また、原稿台４１に置かれた原稿を読み取る場合、制御部２００は、スキャン後に原稿台４１のセンサ４６により原稿を検知したら、第１の報知部６０の点灯を緑色から赤色に切り替えさせる。第１の報知部６０の点灯色を変えることで、ユーザにスキャンが終了し、原稿を原稿台４１から取り除いて良い状態であることを知らせる。
【００１４】
ＡＤＦ１２において、スキャン後、原稿収容部４３のセンサ４５、及び原稿台４１のセンサ４６が原稿を検知しなければ、第１の報知部６０の点灯を消灯する。他方、原稿台４１において、スキャン後に原稿台４１のセンサ４６により原稿を検知しなければ、第１の報知部６０の点灯を消灯する。
【００１５】
制御部２００は、収容部４０のセンサ４７により印刷物を検知したら、第２の報知部６１を例えば赤色に点灯させ、収容部４０のセンサ４７が印刷物を検知しなければ、第２の報知部６１の消灯状態を維持する。点灯色は赤色に限らず、例えば緑色や青色にしても良い。
【００１６】
読取部１６は、ＡＤＦ１２の下部に設けられ、ＡＤＦ１２によって搬送される原稿または原稿台４１上に置かれた原稿を読み取って画像データを生成する。読取部１６は、印刷原稿の入力部の一例であり、この他に、例えば、外部端末としてＰＣ（Personal Computer）で作成した原稿をこの入力部で受け入れ、画像データとして印刷することも可能である。
【００１７】
給紙カセット１８は、各種サイズの用紙Ｓを収容する複数のカセットを有する。収容部４０は、画像形成され、排出された用紙Ｓを収容する。収容部４０は、印刷物の先端側が後端側より高くなるように傾斜して配置される。
【００１８】
プリンタ部１７は、画像形成部２０とレーザ露光ユニット１９等を含み、読取部１６で読み取った画像データやＰＣ等で作成された画像データを処理して給紙カセット１８から給紙される用紙Ｓに画像を形成する。プリンタ部１７によって画像形成された用紙は、収容部４０に排出される。プリンタ部１７は、例えば４連タンデム方式によるカラーレーザプリンタである。レーザ露光ユニット１９からのレーザビームによって画像形成部２０の像担持体である感光体ドラムを走査して画像を生成する。
【００１９】
レーザ露光ユニット１９は、ポリゴンミラー、結像レンズ系、ミラーを含み、半導体レーザ素子から出射された、画像データにより変調されたレーザビームをポリゴンミラーにより、回転する感光体ドラムをその軸線方向に走査する。
【００２０】
画像形成部２０は、イエロー（Ｙ）、マゼンタ（Ｍ）、シアン（Ｃ）、ブラック（Ｋ）の各色の画像形成部２０Ｙ、２０Ｍ、２０Ｃ、２０Ｋを含む。画像形成部２０Ｙ、２０Ｍ、２０Ｃ、２０Ｋは、中間転写ベルト２１の下側に、ベルト２１の移動方向上流側から下流側に沿って配置される。図１では、カラーの画像形成をするＭＦＰ１０で説明しているが、これに限らず、例えばモノクロで画像形成するＭＦＰ１０でも良い。この場合には、中間転写ベルト２１は、通常使用せず、感光体ドラムに形成される画像が直接用紙に転写される。
【００２１】
以下の説明において各画像形成部２０Ｙ、２０Ｍ、２０Ｃ、２０Ｋは同様の構成であるため、画像形成部２０Ｙを代表して説明する。
【００２２】
画像形成部２０Ｙは、像担持体である感光体ドラム２２Ｙを有する。感光体ドラム２２Ｙの周囲に、回転方向に沿って帯電チャージャ、現像器２４Ｙ、１次転写ローラ、クリーナを配置する。感光体ドラム２２Ｙの露光位置には、レーザ露光ユニット１９からイエローに対応する画像データで変調されたレーザビームを照射し、感光体ドラム２２Ｙ上に静電潜像を形成する。なお、上記画像形成部２０の構成要素は、周知の構成要素であり、従って、一部の構成要素については、図２の簡素化の観点から図示していない。
【００２３】
画像形成部２０Ｙの帯電チャージャは、感光体ドラム２２Ｙの表面を一様に全面帯電する。この帯電した感光体ドラムの表面に前述のレーザビームを照射して静電潜像を形成する。現像器２４Ｙは、現像バイアスが印加される現像ローラによりイエローのトナー及びキャリアにより構成される２成分現像剤を感光体ドラム２２Ｙに供給する。供給される現像剤により感光体ドラム２２Ｙ  上の静電潜像が現像され可視像であるトナー像となる。後述する転写工程を経て、トナー像が用紙に転写されると共に、転写工程で用紙に転写されなかった感光体ドラム２２Ｙの表面の残留トナーをクリーナにて除去する。
【００２４】
画像形成部２０Ｙ、２０Ｍ、２０Ｃ、２０Ｋの上部には、現像器２４Ｙ、２４Ｍ、２４Ｃ、２４Ｋにトナーを供給するトナーカートリッジ２を設けている。トナーカートリッジ２は、イエロー（Ｙ）、マゼンタ（Ｍ）、シアン（Ｃ）、ブラック（Ｋ）の各色のトナーカートリッジ２Ｙ、２Ｍ、２Ｃ、２Ｋが隣接する。
【００２５】
無端状の中間転写ベルト２１は、循環的に移動し、耐熱性及び対磨耗性の点から例えば半導電性ポリイミドが用いられる。中間転写ベルト２１は、駆動ローラ３１及び従動ローラ３２、３３に張架され、感光体ドラム２２Ｙに対向して接触する。中間転写ベルト２１の感光体ドラム２２Ｙに対向する位置には、１次転写ローラ２５Ｙにより１次転写電圧が印加され、感光体ドラム２２Ｙ上のトナー像を中間転写ベルト２１に１次転写する。同様に、各色に対応する感光体ドラム２２Ｍ、２２Ｃ、２２Ｋにそれぞれ形成されたトナー画像が中間転写ベルト２１の移動に伴って、中間転写ベルト２１上の画像に重畳される。
【００２６】
中間転写ベルト２１を張架する駆動ローラ３１には、２次転写ローラ３４を対向して配置している。給紙カセット１８から搬送される用紙Ｓが中間転写ベルト２１と２次転写ローラ３４間を通過する際に、２次転写ローラ３４により２次転写電圧が用紙に印加され、中間転写ベルト２１上のトナー像を用紙Ｓに２次転写する。中間転写ベルト２１の従動ローラ３３付近には、ベルトクリーナー３５が配置されており、２次転写工程で用紙に転写されなかった中間転写ベルト２１上の残留トナーをクリーニングする。
【００２７】
また、給紙カセット１８から２次転写ローラ３４に至る間には、給紙カセット１８内の用紙を取り出す給紙ローラ５０、分離ローラ３６、及び搬送ローラ３７、レジストローラ３８を有し、２次転写ローラ３４の下流には定着ユニット３９を有する。給紙カセット１８から収容部４０に至る間には複数の搬送ローラ３７を有し、給紙カセット１８から複数の搬送ローラ３７により搬送される用紙Ｓに転写および定着の工程が実行される。
【００２８】
定着ユニット３９の下流には収容部４０を有する。収容部４０には、定着ユニット３９によりトナー像が定着された印刷物が排出される。収容部４０は、上部にスライド可能な開閉部７０を備える。開閉部７０は、矢印ｚ方向及び矢印ｚ方向と逆方向へスライド移動する。上述したように、収容部４０は、印刷物の先端側が後端側より高くなるように傾斜して配置されている。開閉部７０を矢印ｚ方向の逆方向へスライド移動させ、傾斜する収容部４０に開閉部７０を接触させる。この状態を、収容部４０を開閉部７０により閉めた状態とする。開閉部７０を閉めた状態では、ユーザは印刷された印刷物を収容部４０から取り出すことができない。スキャン後、制御部２００は、ＡＤＦ１２の原稿収容部４３または原稿台４１から原稿が取り除かれたと判断すると、開閉部７０を矢印ｚ方向にスライドさせる。開閉部７０が開かれた状態において、ユーザが印刷された印刷物を収容部４０から取り出すことができる。
【００２９】
定着ユニット３９の下流には反転搬送路５５を有する。反転搬送路５５は、用紙Ｓを反転させて２次転写ローラ３４の方向に導くもので、両面印刷を行う際に使用する。
【００３０】
図２は、ＭＦＰ１０のブロック図である。ＭＦＰ１０は、制御部２００及び外部からのデータを入力したり、外部へデータを出力したりする通信インターフェース（I/F）２０３を有する。制御部２００は、例えば、ＣＰＵ（Central Processing Unit）、各種プログラムなどを記憶しているＲＯＭ（Read Only Memory）、及び各種の可変データや画像データなどを一時的に記録しているＲＡＭ（Random Access Memory）で構成される。
【００３１】
また、ＭＦＰ１０は、操作部１４を制御する操作部駆動制御部２０４と、表示部１５、６０、６１を制御する表示部駆動制御部２０５と、搬送ローラ３７、レジストローラ３８と連結する搬送ローラモータ２０６を制御する搬送ローラモータ駆動制御部２０７と、定着ローラ５０と連結する定着ローラモータ２０８を制御する定着ローラモータ駆動制御部２０９と、検知部である各種センサ４４、４５、４６、４７、４８と、プリンタ部１７を制御するプリンタ部駆動制御部２１０と、開閉部７０を制御する開閉部駆動制御部２１１を有する。
【００３２】
制御部２００は、バス２０２を介して、通信Ｉ/Ｆ２０３、操作部駆動制御部２０４、表示部駆動制御部２０５、搬送ローラモータ駆動制御部２０７、定着ローラモータ駆動制御部２０９、センサ４４、４５、４６、４７、４８プリンタ部駆動制御部２１０、及び開閉部駆動制御部２１１と接続している。
【００３３】
センサ４４、４５、４６は、原稿を検知する。センサ４７は、印刷物を検知する。開閉部センサ４８は、開閉部７０が開いているか否かを検知する。センサ４４、４５、４６、４７、４８による検知結果はバス２０２を介して、制御部２００に送信される。センサ４４、４５、４６、４７、及び開閉部センサ４８は、例えば光学センサであり、発光素子と受光素子を対向して並べ、その間を対象物が通過するとき、対象物が光を遮ることで対象物の検知が行われる。。
【００３４】
センサ４６は、原稿台４１に載置された原稿により、発光素子と受光素子の間で光が遮られるか否かで原稿または用紙Ｓの有無を検知する。図１において、原稿給紙部４２のセンサ４４は突起部５１、原稿収容部４３のセンサ４５は突起部５２により発光素子と受光素子の間で光が遮られるか否かで原稿の有無を検知する。収容部４０のセンサ４７は突起部５３により発光素子と受光素子の間で光が遮られるか否かで画像形成された用紙の有無を検知する。開閉部センサ４８は、突起部５４により光が遮られるか否かで、開閉部７０が開いているか否かを検知する。原稿が突起部５１、５２上に搬送、または用紙が突起部５３上に搬送されると、原稿または用紙Ｓの重みで突起部５１、５２、５３が下方向へ回動する。突起部５１、５２、５３が下方向へ回動すると、発光素子と受光素子の間で光が遮られ、制御部２００は、原稿または用紙Ｓ有りと判断する。発光素子と受光素子の間で光が遮られなければ、制御部２００は、原稿または用紙が検知位置に無いと判断する。
【００３５】
また、開閉部７０が閉まると、突起部５４は開閉部７０に押され、下方向へ回動する。突起部５４が下方向へ回動すると、発光素子と受光素子の間で光が遮られ、制御部２００は、開閉部７０が閉まった状態であると判断する。発光素子と受光素子の間で光が遮られなければ、制御部２００は、開閉部７０が開いた状態であると判断する。
【００３６】
プリンタ部１７は、プリンタ部駆動制御部２１０からの信号に基づき、用紙Ｓに画像を形成する。制御部２００は、開閉部駆動制御部２１１を介して、開閉部７０を開閉させる。制御部２００は、スキャン後、原稿が原稿収容部４３または原稿台４１に原稿があると判断する時、開閉部７０を閉めた状態とし、原稿が原稿収容部４３及び原稿台４１に原稿が無いと判断する時、開閉部７０を開ける。なお、ＭＦＰ１０の不使用状態では、開閉部７０を閉めた状態あるいは開いた状態のいずれでも良い。但し、開閉部７０を通常開いた状態とした場合、例えば、ＭＦＰ１０での複写操作のタイミングで、例えば、複写開始のタイミングで、開閉部７０を閉めた状態にすることが必要である。
【００３７】
図３は、第一の実施形態における画像形成のフローチャートである。３００において、制御部２００は、ＡＤＦ１２あるいは原稿台４１に原稿がセットされたか否かを判断する。ＡＤＦ１２の原稿給紙部４２のセンサ４４が原稿を検知、及び原稿台４１のセンサ４６が原稿を検知しなければ（３００のＮｏ）、原稿がセットされるまで３００の判断を繰り返す。ＡＤＦ１２の原稿給紙部４２のセンサ４４が原稿を検知、または原稿台４１のセンサ４６が原稿を検知したら（３００のＹｅｓ）、３０１において、制御部２００は、第１の報知部６０により、原稿がセットされたことを報知させる。例えば、表示駆動制御部２０５を制御して第１の報知部６０を緑色に点灯させる。
【００３８】
制御部２００は、３０２において、開閉部７０が閉じているか否かの判断をする。開閉部７０が閉じた状態を図５に示す。開閉部７０が閉じているか否かはセンサ４８による検知結果で判断する。制御部２００は、開閉部７０が開いていると判断したら（３０２のＮｏ）、３０３において、開閉部駆動制御部２１１を制御して開閉部７０を閉める。制御部２００は、開閉部７０が閉じていると判断したら（３０２のＹｅｓ）、ＡＤＦ１２に原稿が載置されている場合には、３０４において原稿を読取部１６に搬送し、スキャンし、画像データを生成し、原稿収容部４３に原稿を排出する。
【００３９】
図３には例示されていないが、本実施の形態においては、例えば、３０４での工程が実施された後に、制御部２００は、原稿給紙部４２のセンサ４４、及び原稿収容部４３のセンサ４５の検知結果により、原稿給紙部４２に原稿が無く、原稿収容部４３に原稿有りと判断したら、表示駆動制御部２０５を制御して第１の報知部６０の点灯を緑色から赤色に切り替える。第１の報知部６０の点灯色を変えることで、ユーザにスキャンが終了し、原稿を原稿収容部４３から取り除いて良い状態であることを知らせる。また、原稿が原稿台４１に載置されている場合には、３０４において、読取部１６により原稿をスキャンし画像データを生成する。制御部２００は、原稿台４１のセンサ４６により、原稿台４１に原稿有りと判断した場合、同様に、表示駆動制御部２０５を制御して第１の報知部６０の点灯を緑色から赤色に変更し、原稿を原稿台４１から取り除いて良い状態であることを知らせる。
【００４０】
制御部２００は、３０５において、プリンタ部駆動制御部２１０を制御して、プリンタ部１７により画像データを用紙Ｓに印刷し、３０６において、開閉部７０の閉じた収容部４０へ印刷物を排出する。制御部２００は、３０７において、収容部４０のセンサ４７の検知結果により、収容部４０に印刷物が排出されたと判断したら、表示駆動制御部２０５を制御して第２の報知部６１を点灯させ、印刷物が収容部４０に存在することを報知する。
【００４１】
続いて、図４の３０８において、制御部２００は、原稿をスキャン後、ＡＤＦ１２の原稿収容部４３、あるいは原稿台４１で原稿を認識するか否かを判断する。制御部２００は、ＡＤＦ１２の原稿収容部４３のセンサ４５、あるいは原稿台４１のセンサ４６の検知結果により、原稿の有無を判断する。制御部２００は、スキャン後、センサ４５、４６の検知結果により、原稿を認識すると判断したら（３０８のＹｅｓ）、３０９において、表示駆動制御部２０５を介して原稿を取り除く旨をパネル部１５に表示する。図６は、原稿を原稿台から取り除く旨の表示例を示す。図６に示す表示例を出す際に、第１の報知部６０の点灯を点滅させたり、点灯色を別の色に切り替えさせても良い。制御部２００は、図６の、ＯＫボタン８０１が押下されたと判断すると、再び３０８の判断に戻り、スキャン後、原稿収容部４３または原稿台４１において、センサ４５、４６により原稿を認識しないと判断するまで、この処理を繰り返す。
【００４２】
制御部２００は、スキャン後、原稿収容部４３及び原稿台４１のセンサ４５、４６の検知結果において、原稿を認識しないと判断したら（３０８のＮｏ）、３１０において、第１の報知部６０の点灯による報知を停止する。例えば、ＬＥＤの点灯を消灯させる。制御部２００は、スキャン後、原稿収容部４３及び原稿台４１で原稿を認識しないと判断し、第１の報知部６０による報知を停止したら、３１１において、開閉部駆動制御部２１１を制御して開閉部７０を開け、収容部４０を開放する。制御部２００は、図５の開閉部７０が閉じた状態から、矢印ｚ方向に開閉部７０をスライドさせて、図７に示すように開閉部７０を開けた状態にする。
【００４３】
３１２において、制御部２００は、収容部４０のセンサ４７の検知結果により、印刷物の有無を判断する。制御部２００が、収容部４０で印刷物を認識すると判断したら（３１２のＹｅｓ）、収容部４０で印刷物を認識しなくなるまで３１２の判断を繰り返す。
【００４４】
ユーザに収容部４０から印刷物を取り出されたことで、制御部２００が、センサ４７により収容部４０で印刷物を認識しないと判断したら（３１２のＮｏ）、３１３において、第２の報知部６１の点灯を消灯し、３１４において、開閉部駆動制御部２１１を制御して開閉部７０を閉じ、画像形成を終了する。制御部２００は、開閉部７０を閉じる際、図５の矢印ｚ方向と逆方向へ開閉部７０を駆動する。
【００４５】
なお、第一の実施形態においては、印刷物を収容部４０へ排出後（図３の３０６）、原稿がＡＤＦ１２の原稿収容部４３、あるいは原稿台４１で検知されている状態で、ユーザが異なるジョブの複写を行おうとしても、制御部２００は、異なるジョブの複写処理を開始しない。すなわち、ＡＤＦ１２の原稿収容部４３でセンサ４５が原稿を検知するとき、原稿台４１に異なる原稿を載置して複写することはできない。また、ＡＤＦ１２の原稿収容部４３にセンサ４５が原稿を検知するとき、ＡＤＦ１２の原稿給紙部４２に異なる原稿を載置して複写することはできない。さらに、原稿台４１のセンサ４６が原稿を検知するとき、ＡＤＦ１２の原稿給紙部４２に異なる原稿を載置して複写することはできない。上記の本実施の形態において、原稿がＡＤＦ１２の原稿収容部４３、あるいは原稿台４１で検知されている状態で、ユーザが異なるジョブの複写を行おうとしたとき、表示部であるパネル部１５に、原稿収容部４３から原稿を取り除く旨の表示をし、収容部４０からの原稿の取り除きを促すようにしても良い。
【００４６】
上述の説明では、開閉部７０は収容部４０の上部に位置しているが、上部に限らない。例えば、開閉部７０は収容部４０の側面に位置していても良い。また、原稿や印刷物を検知するセンサ４４、４５、４６、４７、及び開閉部センサ４８は光学センサで説明しているが、光学センサに限らない。例えば超音波センサあるいは機械式のセンサであっても良い。
【００４７】
上述のような構成を有する画像形成装置１００、あるいは原稿取り忘れ防止方法により、原稿収容部４３または原稿台４１への原稿の置き忘れを防止することができる。また、原稿がＡＤＦの原稿収容部４３、あるいは原稿台４１で検知されている状態で、ユーザが異なるジョブの複写を行おうとしても、異なるジョブの複写処理は開始されないため、より原稿の置き忘れを防止することができる。
【００４８】
（第二の実施形態）
第二の実施形態の画像形成装置は、原稿が機密文書であるか否かを判断して、機密文書であれば、原稿収容部４３または原稿第４１に原稿があることを認識している間、収容部４０に排出された印刷物を取り除くことができないように開閉部を閉じる。第一の実施形態と同一構成部分には同一符号を付す。
【００４９】
図８は、第二の実施形態における画像形成のフローチャートである。４００において、制御部２００は、原稿給紙部４２または原稿台４１に原稿がセットされたか否かを判断する。ＡＤＦ１２の原稿給紙部４２のセンサ４４が原稿を検知せず、及び原稿台４１のセンサ４６が原稿を検知しなければ（４００のＮｏ）、原稿がセットされるまで４００の判断を繰り返す。ＡＤＦ１２の原稿給紙部４２のセンサ４４が原稿を検知、または、原稿台４１のセンサ４６が原稿を検知したら（４００のＹｅｓ）、４０１において、制御部２００は、図２の表示駆動制御部２０５を介して第１の報知部６０により、原稿がセットされたことを報知させる。例えば、ＬＥＤを緑色に点灯させる。
【００５０】
４０２において、制御部２００は、原稿が機密文書か否かを判断する。制御部２００は、予め制御部２００が有する記憶部（例えばＲＯＭ）に保存された機密文書を示すマークと、同様のパターンが原稿のスキャンで検出されるか否かで判断する。機密文書のマークは例えば秘を丸で囲んだマークである。制御部２００は、機密文書のマークのパターンが、予め保存されたマークのパターンと、原稿のスキャンで検出されたマークのパターンが一致したら、機密文書であると判断し、マークのパターンが一致しなければ、機密文書ではないと判断する。
【００５１】
また、機密文書のマークのパターンマッチングに限らず、図１に示す表示部であるパネル部１５に、機密文書か否かを入力させる表示をするようにしても良い。機密文書か否かの入力は、例えば、パネル部１５に、「この原稿は機密文書ですか」と記載し、ユーザは、操作部１４あるいはパネル部１５により、機密文書であるか否かを「はい」ボタン、及び「いいえ」ボタンで選択できるようにする。制御部２００は、「はい」ボタンが押下されれば、機密文書であると判断し、「いいえ」ボタンが押下されれば、機密文書ではないと判断する。
【００５２】
制御部２００は、機密文書であると判断したら（４０２のＹｅｓ）、４０３において、開閉部７０が閉じているか否かを判断する。制御部２００は、開閉部７０が開いていると判断したら（４０３のＮｏ）、４０４において、図２に示す開閉部駆動制御部２１１を介して開閉部７０を閉める。制御部２００は、開閉部７０が閉じていると判断したら（４０３のＹｅｓ）、４０５において原稿をスキャンし、画像データを生成し、原原稿収容部４３に原稿を排出する。例えば、ＡＤＦ１２に原稿が載置された場合、制御部２００は、原稿給紙部４２のセンサ４４、及び原稿収容部４３のセンサ４５の検知結果により、原稿給紙部４２に原稿が無く、原稿収容部４３に原稿有りと判断したら、表示駆動制御部２０５を制御して第１の報知部６０の点灯を緑色から赤色に切り替えさせる。第１の報知部６０の点灯色を変えることで、ユーザにスキャンが終了し、原稿を原稿収容部４３から取り除いて良い状態であることを知らせる。
【００５３】
制御部２００は、４０６において、プリンタ部駆動制御部２１０を介してプリンタ部１７により画像データを用紙Ｓに印刷し、４０７において、開閉部７０の閉じた収容部４０へ印刷物を排出する。制御部２００は、４０８において、収容部４０のセンサ４７の検知結果により、収容部４０に印刷物有りと判断したら、表示駆動制御部２０５を制御して第２の報知部６１により、印刷物が収容部４０に存在することを報知する。以降、図４で示した第一の実施形態のフローチャートと同様の処理を行う。
【００５４】
他方、図８において、制御部２００は、原稿が機密文書ではないと判断したら（４０２のＮｏ）、４０９において、開閉部駆動制御部２１１を制御して開閉部７０を開ける。制御部２００は、４１０において原稿をスキャンして画像データを生成し、原稿収容部４３に原稿を排出する。第二の実施形態においても第一の実施形態と同様に、制御部２００は、原稿給紙部４２のセンサ４４、及び原稿収容部４３のセンサ４５の検知結果により、原稿給紙部４２に原稿が無く、原稿収容部４３に原稿有りと判断したら、表示駆動制御部２０５を介して第１の報知部６０の点灯を緑色から赤色に変更させる。第１の報知部６０の点灯色を変えることで、ユーザにスキャンが終了し、原稿を原稿収容部４３から取り除いて良い状態であることを知らせる。
【００５５】
制御部２００は、４１１において、プリンタ部駆動制御部２１０を介してプリンタ部１７により画像データを印刷し、４１２において、開閉部７０の開いた収容部４０へ印刷物を排出する。制御部２００は、４１３において、収容部４０のセンサ４７の検知結果により、収容部４０に印刷物有りと判断したら、表示駆動制御部２０５を介して第２の報知部６１により、印刷物が収容部４０に存在することを報知する。
【００５６】
制御部２００は、図９の４１４において、スキャン後の原稿を、ＡＤＦ１２の原稿収容部４３、あるいは原稿台４１で認識するか否かを判断する。ＡＤＦ１２の原稿収容部４３のセンサ４５、あるいは原稿台４１のセンサ４６が原稿を検知する。制御部２００は、スキャン後、原稿収容部４３のセンサ４５、または原稿第４１のセンサ４６の検知結果において原稿を認識すると判断したら（４１４のＹｅｓ）、原稿を認識しないと判断するまで、４１４の処理を繰り返す。
【００５７】
制御部２００は、原稿のスキャン後、原稿収容部４３のセンサ４５、または原稿台４１のセンサ４６の検知結果において原稿を認識しないと判断したら（４１４のＮｏ）、４１５において、表示駆動制御部２０５を制御して第１の報知部６０による点灯を消灯させる。制御部２００は、４１６において、収容部４０のセンサ４７の検知結果により、収容部４０における印刷物の有無を判断する。制御部２００が、収容部４０で印刷物を認識すると判断したら（４１６のＹｅｓ）、収容部４０で印刷物を認識しなくなるまで４１６の判断を繰り返す。
【００５８】
制御部２００が、収容部４０で印刷物を認識しないと判断したら（４１６のＮｏ）、４１７において、表示駆動制御部２０５を介して第２の報知部６１の点灯を消灯し、４１８において、開閉部駆動制御部２１１を制御して開閉部７０を閉じ、画像形成を終了する。制御部２００は、開閉部７０を閉じる際、図５の矢印ｚ方向と逆方向へ開閉部７０を駆動する。
【００５９】
上述の第二の実施形態においては、図８の４０２において、複写する原稿が機密文書でないと判断したとき（４０２のＮｏ）、４０９において、開閉部７０を開けているが、これに限らない。例えば、開閉部７０を備えない収容部をさらに備え、制御部２００は、機密文書でないと判断したとき（４０２のＮｏ）、開閉部７０を備えない収容部に印刷物を排出するようにしても良い。
【００６０】
上述のような画像形成装置１００、原稿取り忘れ防止方法により、機密文書の原稿の置き忘れを防止することができる。
【００６１】
（第三の実施形態）
第三の実施形態の画像形成装置は、個人認証の有無を判断して、個人認証無しであれば、原稿収容部４３または原稿台４１に原稿があることを認識している間、収容部４０に排出された印刷物を取り除くことができないように開閉部７０を閉じ、個人認証があれば開閉部７０を開けるよう、制御する。第一の実施形態と同一構成部分には同一符号を付す。
【００６２】
図１０は、第三の実施形態の画像形成のフローチャートである。５００において、制御部２００は、原稿が原稿給紙部４２あるいは原稿台４１にセットされたか否かを判断する。ＡＤＦ１２の原稿給紙部４２のセンサ４４が原稿を検知せず、及び原稿台４１のセンサ４６が原稿を検知しなければ（５００のＮｏ）、原稿がセットされるまで５００の判断を繰り返す。ＡＤＦ１２の原稿給紙部４２のセンサ４４あるいは原稿台４１のセンサ４６が原稿を検知したら（５００のＹｅｓ）、５０１において、制御部２００は、表示駆動制御部２０５を介して第１の報知部６０により、原稿がセットされたことを報知させる。例えば、ＬＥＤを緑色に点灯させる。
【００６３】
５０２において、制御部２００は、個人認証の有無を判断する。例えば、ＭＦＰ１０が個人認証用のセキュリティカードの読取部（認証部）を有し、ＭＦＰ１０を使用する際に個人認証する場合、制御部２００は、個人認証有りと判断する。これに限らず、個人を特定する情報、例えば従業員番号や個人に設定されたＩＤやパスワードを操作部１４に入力、あるいは指紋認証により、個人を特定するようにしても良い。一方、制御部２００は、ＭＦＰ１００を使用する際に上述したような個人認証が無い場合、個人認証無しであると判断する。
【００６４】
制御部２００は、個人認証無しであると判断したら（５０２のＮｏ）、５０３において、開閉部センサ４８の出力により開閉部７０が閉じているか否かを判断する。制御部２００は、開閉部７０が開いていると判断したら（５０３のＮｏ）、５０４において、開閉部駆動制御部２１１を制御して開閉部７０を閉める。制御部２００は、開閉部７０が閉じていると判断したら（５０３のＹｅｓ）、例えば、ＡＤＦ１２の原稿給紙部４２に原稿がセットされている場合、５０５において、原稿を読取部１６に搬送して原稿をスキャンし、画像データを生成した後、原稿収容部４３に原稿を排出する。制御部２００は、原稿給紙部４２のセンサ４４、及び原稿収容部４３のセンサ４５の検知結果により、原稿給紙部４２に原稿が無く、原稿収容部４３に原稿有りと判断したら、表示駆動制御部２０５を介して第１の報知部６０の点灯を緑色から赤色に切り替えさせる。第１の報知部６０の点灯色を変えることで、ユーザにスキャンが終了し、原稿を原稿収容部４３から取り除いて良い状態であることを知らせる。
【００６５】
制御部２００は、５０６において、プリンタ部１７により画像データを用紙Ｓに印刷し、５０７において、開閉部７０の閉じた収容部４０へ印刷物を排出する。制御部２００は、５０８において、収容部４０に印刷物が排出されたとセンサ４７が検知したら、表示駆動制御部２０５を介して第２の報知部６１により、印刷物が収容部４０に存在することを報知する。以降、第一の実施形態の図４で示したフローチャートと同様の処理を行う。
【００６６】
他方、図１０において、制御部２００は、個人認証有りと判断したら（５０２のＹｅｓ）、５０９において、開閉部駆動制御部２１１を制御して開閉部７０を開ける。制御部２００は、５１０において原稿をスキャンし、原稿収容部４３に原稿を排出する。制御部２００は、原稿給紙部４２のセンサ４４、及び原稿収容部４３のセンサ４５の検知結果により、原稿給紙部４２に原稿が無く、原稿収容部４３に原稿有りと判断したら、第１の報知部６０の点灯を緑色から赤色に変更させる。第１の報知部６０の点灯色を変えることで、ユーザに原稿のスキャンが終了し、原稿を原稿収容部４３から取り出して良い状態であることを知らせる。
【００６７】
制御部２００は、５１１において画像データを用紙Ｓに印刷し、５１２において、開閉部７０の開いた収容部４０へ印刷物を排出する。制御部２００は、５１３において、収容部４０に印刷物が排出されたとセンサ４７が検知したら、表示駆動制御部２０５を介して第２の報知部６１により、印刷物が収容部４０に存在することを報知する。以降、第二の実施形態の図９で示したフローチャートと同様の処理を行う。
【００６８】
上述の第三の実施形態では、図１０の５０２において、認証有りと判断したとき（５０２のＹｅｓ）、５０９において、開閉部７０を開けているが、これに限らない。例えば、開閉部７０を備えない収容部をさらに備え、制御部２００が、認証有りと判断したとき（５０２のＹｅｓ）、開閉部７０を備えない収容部に印刷物を搬送するようにしても良い。
【００６９】
上述のような画像形成装置１０、原稿取り忘れ防止方法により、個人認証無しの場合、原稿の置き忘れを防止することができる。また、個人認証有りの場合、開閉部を閉じないよう、開閉部を制御することで、作業効率を上げることができる。
【００７０】
以上説明した少なくともひとつの実施形態の画像形成装置によれば、検知部が原稿載置部に載置された原稿を検知している間は、開閉部による収容部の閉鎖状態を維持し、読取部による原稿の画像読取後、原稿載置部に載置された原稿が検知部により検知されない時、開閉部を駆動制御して収容部を開放状態とすることにより、個人認証無しの場合、原稿の置き忘れを防止することができる。
【００７１】
いくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々省略、置き換え、変更を行うことができる。これらの実施形態やその変形は、発明の範囲は要旨に含まれるとともに、特許請求の範囲に記載された発明とその均等の範囲に含まれる。
【符号の説明】
【００７２】
１０  画像形成装置
１２  ＡＤＦ（原稿載置部）
１３  操作パネル
１４  操作部
１５  パネル部
１６  読取部
１７  プリンタ部（画像形成部）
１８  給紙カセット（給紙部）
１９  レーザ露光ユニット
２２  感光体ドラム
３９  定着ユニット
４０  収容部
４１  原稿台（原稿載置部）
４２  原稿給紙部
４３  原稿収容部
４４、４５、４６、４７  センサ（検知部）
４８  開閉部センサ
５１、５２、５３、５４  突起部
７０  開閉部
２００  制御部
２０３  通信Ｉ／Ｆ
２０４  操作部駆動制御部
２０５  表示部駆動制御部
２１０  プリンタ部駆動制御部
２１１  開閉部駆動制御部
【図１】
2012227915.tif 000003
【図２】
2012227915.tif 000004
【図３】
2012227915.tif 000005
【図４】
2012227915.tif 000006
【図５】
2012227915.tif 000007
【図６】
2012227915.tif 000008
【図７】
2012227915.tif 000009
【図８】
2012227915.tif 000010
【図９】
2012227915.tif 000011
【図１０】
2012227915.tif 000012